【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
マルチメディアサーバ、複数のクライアントモジュール、および複数のワイヤレストランスポートチャネルを含むワイヤレスマルチメディアシステムにおいて、複数のワイヤレストランスポートチャネルのうち１つのワイヤレストランスポートチャネルのデータレートをダイナミックに調整する方法であって、
複数のクライアントモジュールの１つにより、ワイヤレストランスポートチャネルのチャネル特性を受信パケットレート以下の速度で監視し、それで、ワイヤレストランスポートチャネル経由で受信された少なくとも１つのパケットから少なくとも１つの他のパケットまでのチャネル特性の変化を特定すること、
複数のクライアントモジュールの１つ又はマルチメディアサーバにより、チャネル特性の変化が受信パケットに含まれたデータのデータレートに影響するか否か判定すること、
チャネル特性の変化がデータレートに影響するとき、複数のクライアントモジュールの１つ又はマルチメディアサーバにより、転送に関するデータレート調整の判定を、少なくとも複数のクライアントモジュールの１つとマルチメディアサーバの間のワイヤレストランスポートチャネル経由で提供すること、および、
マルチメディアサーバにより、ワイヤレストランスポートチャネル経由で運ばれたパケットに含まれているデータのデータレートを、データレート調整に従って調整すること、を包含する方法。
【請求項２】
チャネル特性を監視することが、更に、
パケット・バイ・パケットをベースにしてワイヤレストランスポートチャネルの信号対ノイズ比を監視すること、
パケットグループ・バイ・パケットグループをベースにしてワイヤレストランスポートチャネルの平均信号対ノイズ比を監視すること、
複数のパケットについて受信パケットエラー率を監視すること、のうち少なくとも１つを包含する、請求項１に記載の方法。
【請求項３】
チャネル特性の変化がデータレートに影響するか否か判定することが、更に、
チャネル特性の変化がより高いデータレートを見込んでいるか否か判定すること、および、
チャネル特性の変化がより低いデータレートを見込んでいるか否か判定すること、を包含する、請求項１に記載の方法。
【請求項４】
データレート調整フィードバックを提供することが、更に、
データレート増分のメッセージを提供すること、
データレート減分のメッセージを提供すること、
増大したデータレート値を提供すること、および、
減少したデータレート値を提供すること、のうち少なくとも１つを包含する、請求項１に記載の方法。
【請求項５】
更に、
チャネル特性の変化が、信号対ノイズ比の増大、平均信号対ノイズ比の増大、およびパケットエラー率の低下のうち少なくとも１つを指示するとき、データレート増分のメッセージを特定すること、
チャネル特性の変化が、信号対ノイズ比の減少、平均信号対ノイズ比の減少、およびパケットエラー率の増大のうち少なくとも１つを指示するとき、データレート減分のメッセージを特定すること、
チャネル特性の変化の大きさに基づいて増大したデータレート値または減少したデータレート値を特定すること、を包含する、請求項４に記載の方法。
【請求項６】
パケットに含まれているデータのデータレートを調整することが、更に、
データレート増分のメッセージによる分だけデータレートを増分すること、
データレート減分のメッセージによる分だけデータレートを減分すること、
増大したデータレート値に従ってデータレートを増大させること、および、
減少したデータレート値に従ってデータレートを減少させること、のうち少なくとも１つを包含する、請求項４に記載の方法。
【請求項７】
ワイヤレストランスポートチャネルのデータレートをダイナミックに調整する方法であって、
ワイヤレストランスポートチャネルのチャネル特性を受信パケットレート以下の速度で監視し、それで、ワイヤレストランスポートチャネル経由で受信された少なくとも１つのパケットから少なくとも１つの他のパケットまでのチャネル特性の変化を特定すること、
チャネル特性の変化が受信パケットに含まれたデータのデータレートに影響するか否か特定すること、および、
チャネル特性の変化がデータレートに影響するとき、ワイヤレストランスポートチャネル経由で受信パケットを提供するソースにデータレート調整フィードバックを提供すること、を包含する方法。
【請求項８】
チャネル特性を監視することが、更に、
パケット・バイ・パケットをベースにしてワイヤレストランスポートチャネルの信号対ノイズ比を監視すること、
パケットグループ・バイ・パケットグループをベースにしてワイヤレストランスポートチャネルの平均信号対ノイズ比を監視すること、
複数のパケットについて受信パケットエラー率を監視すること、のうち少なくとも１つを包含する、請求項７に記載の方法。
【請求項９】
チャネル特性の変化がデータレートに影響するか否か判定することが、更に、
チャネル特性の変化がより高いデータレートを見込んでいるか否か判定すること、および、
チャネル特性の変化がより低いデータレートを見込んでいるか否か判定すること、を包含する、請求項７に記載の方法。
【請求項１０】
データレート調整フィードバックを提供することが、更に、
データレート増分のメッセージを提供すること、
データレート減分のメッセージを提供すること、
増大したデータレート値を提供すること、および、
減少したデータレート値を提供すること、のうち少なくとも１つを包含する、請求項７に記載の方法。
【請求項１１】
更に、
チャネル特性の変化が、信号対ノイズ比の増大、平均信号対ノイズ比の増大、およびパケットエラー率の低下のうち少なくとも１つを指示するとき、データレート増分のメッセージを特定すること、
チャネル特性の変化が、信号対ノイズ比の減少、平均信号対ノイズ比の減少、およびパケットエラー率の増大のうち少なくとも１つを指示するとき、データレート減分のメッセージを特定すること、
チャネル特性の変化の大きさに基づいて増大したデータレート値または減少したデータレート値を特定すること、を包含する、請求項１０に記載の方法。
【請求項１２】
マルチメディアサーバ、複数のクライアントモジュール、および複数のワイヤレストランスポートチャネルを含むワイヤレスマルチメディアシステムにおいて、複数のワイヤレストランスポートチャネルのうち１つのワイヤレストランスポートチャネルのデータレートをダイナミックに調整する方法であって、
複数のクライアントモジュールの１つにより、ワイヤレストランスポートチャネルのチャネル特性を受信パケットレート以下の速度で特定し、それで、特定されたチャネル特性を生成すること、
複数のクライアントモジュールの１つにより、チャネル特性に基づいてデータレート調整フィードバックを生成すること、
複数のクライアントモジュールの１つにより、データレート調整フィードバックをマルチメディアサーバに提供すること、
マルチメディアサーバにより、データレート調整フィードバックを解釈し、それで、ワイヤレストランスポートチャネル経由で運ばれたパケットに含まれているデータのデータレートを調整すべきか否か判定すること、および、
ワイヤレストランスポートチャネル経由で運ばれたパケットに含まれているデータのデータレートを調整すべきであるとき、マルチメディアサーバにより、ワイヤレストランスポートチャネル経由で運ばれたパケットのデータレートを調整すること、を包含する方法。
【請求項１３】
ワイヤレストランスポートチャネルのチャネル特性を特定することが、更に、
パケット・バイ・パケットをベースにしてワイヤレストランスポートチャネルの信号対ノイズ比を特定すること、
パケットグループ・バイ・パケットグループをベースにしてワイヤレストランスポートチャネルの平均信号対ノイズ比を特定すること、
複数のパケットについて受信パケットエラー率を特定すること、のうち少なくとも１つを包含する、請求項１２に記載の方法。
【請求項１４】
データレート調整フィードバックを生成することが、更に、
パケット・バイ・パケットをベースにしたワイヤレストランスポートチャネルの信号対ノイズ比、パケットグループ・バイ・パケットグループをベースにしたワイヤレストランスポートチャネルの平均信号対ノイズ比、および、複数のパケットについての受信パケットエラー率のうち少なくとも１つの指示を含むようにデータレート調整フィードバックを構成すること、を包含する、請求項１３に記載の方法。
【請求項１５】
データレート調整フィードバックを解釈することが、更に、
指示を解釈し、それで、現データレートを基準としてワイヤレストランスポートチャネルのチャネル特性の変化を特定すること、
チャネル特性の変化が現データレートの低すぎることを指示するとき、パケットに含まれているデータのデータレートを上げるべきであると決定すること、および、
チャネル特性の変化が現データレートの高すぎることを指示するとき、パケットに含まれているデータのデータレートを下げるべきであると決定すること、を包含する、請求項１４に記載の方法。
【請求項１６】
データレート調整フィードバックを生成することが、更に、
チャネル特性の変化を特定すること、
チャネル特性の変化がパケットに含まれたデータのデータレートに影響するか否か判定すること、および、
チャネル特性の変化がデータレートに影響するとき、データレートの増大または減少を指示するためにデータレート調整フィードバックを提供すること、を包含する、請求項１３に記載の方法。
【請求項１７】
データレート調整フィードバックを提供することが、更に、
データレート増分のメッセージを提供すること、
データレート減分のメッセージを提供すること、
増大したデータレート値を提供すること、および、
減少したデータレート値を提供すること、のうち少なくとも１つを包含する、請求項１６に記載の方法。
【請求項１８】
データレート調整フィードバックを生成することが、更に、
パケット・バイ・パケットをベースにしてデータレート調整フィードバックを生成すること、
パケットグループ・バイ・パケットグループをベースにしてデータレート調整フィードバックを生成すること、
周期をベースにしてデータレート調整フィードバックを生成すること、および、
マルチメディアサーバからのリクエストに応答してデータレート調整フィードバックを生成すること、のうち少なくとも１つを包含する、請求項１２に記載の方法。
【請求項１９】
ワイヤレストランスポートチャネルのデータレートをダイナミックに調整する方法であって、
ワイヤレストランスポートチャネルのチャネル特性を受信パケットレート以下の速度で特定し、それにより特定されたチャネル特性を生成すること、
チャネル特性に基づいてデータレート調整フィードバックを生成すること、および、
データレート調整フィードバックをソースに提供すること、を包含する方法。
【請求項２０】
ワイヤレストランスポートチャネルのチャネル特性を特定することが、更に、
パケット・バイ・パケットをベースにしてワイヤレストランスポートチャネルの信号対ノイズ比を特定すること、
パケットグループ・バイ・パケットグループをベースにしてワイヤレストランスポートチャネルの平均信号対ノイズ比を特定すること、
複数のパケットについて受信パケットエラー率を特定すること、のうち少なくとも１つを包含する、請求項１９に記載の方法。
【請求項２１】
データレート調整フィードバックを生成することが、更に、
パケット・バイ・パケットをベースにしたワイヤレストランスポートチャネルの信号対ノイズ比、パケットグループ・バイ・パケットグループをベースにしたワイヤレストランスポートチャネルの平均信号対ノイズ比、および、複数のパケットについての受信パケットエラー率のうち少なくとも１つの指示を含むようにデータレート調整フィードバックを構成すること、を包含する、請求項２０に記載の方法。
【請求項２２】
データレート調整フィードバックを生成することが、更に、
チャネル特性の変化を特定すること、
チャネル特性の変化がパケットに含まれたデータのデータレートに影響するか否か判定すること、および、
チャネル特性の変化がデータレートに影響するとき、データレートの増大または減少を指示するためにデータレート調整フィードバックを提供すること、を包含する、請求項２０に記載の方法。
【請求項２３】
データレート調整フィードバックを提供することが、更に、
データレート増分のメッセージを提供すること、
データレート減分のメッセージを提供すること、
増大したデータレート値を提供すること、および、
減少したデータレート値を提供すること、のうち少なくとも１つを包含する、請求項２２に記載の方法。
【請求項２４】
データレート調整フィードバックを生成することが、更に、
パケット・バイ・パケットをベースにしてデータレート調整フィードバックを生成すること、
パケットグループ・バイ・パケットグループをベースにしてデータレート調整フィードバックを生成すること、
周期をベースにしてデータレート調整フィードバックを生成すること、および、
マルチメディアサーバからのリクエストに応答してデータレート調整フィードバックを生成すること、のうち少なくとも１つを包含する、請求項１９に記載の方法。
【請求項２５】
複数のワイヤレストランスポートチャネルのうち１つのワイヤレストランスポートチャネルのデータレートをダイナミックに調整する方法であって、
データレート調整フィードバックを受信すること、
データレート調整フィードバックを解釈し、それで、ワイヤレストランスポートチャネル経由で運ばれたパケットに含まれているデータのデータレートを調整すべきか否か判定すること、および、
ワイヤレストランスポートチャネル経由で運ばれたパケットに含まれているデータのデータレートを調整すべきであるとき、ワイヤレストランスポートチャネル経由で運ばれたパケットのデータレートを調整すること、を包含する方法。
【請求項２６】
データレート調整フィードバックが更に、パケット・バイ・パケットをベースにしたワイヤレストランスポートチャネルの信号対ノイズ比、パケットグループ・バイ・パケットグループをベースにしたワイヤレストランスポートチャネルの平均信号対ノイズ比、および、複数のパケットについての受信パケットエラー率のうち少なくとも１つの指示を包含し、また、データレート調整フィードバックを解釈することが更に、
指示を解釈し、それで、現データレートを基準としてワイヤレストランスポートチャネルのチャネル特性の変化を特定すること、
チャネル特性の変化が現データレートの低すぎることを指示するとき、パケットに含まれているデータのデータレートを上げるべきであると決定すること、および、
チャネル特性の変化が現データレートの高すぎることを指示するとき、パケットに含まれているデータのデータレートを下げるべきであると決定すること、を包含する、請求項２５に記載の方法。
【請求項２７】
データレート調整フィードバックを受信することが、更に、
データレート増分のメッセージを受信すること、
データレート減分のメッセージを受信すること、
増大したデータレート値を受信すること、および、
減少したデータレート値を受信すること、のうち少なくとも１つを包含する、請求項２５に記載の方法。
【請求項２８】
データレート調整フィードバックを受信することが、更に、
パケット・バイ・パケットをベースにしてデータレート調整フィードバックを受信すること、
パケットグループ・バイ・パケットグループをベースにしてデータレート調整フィードバックを受信すること、
周期をベースにしてデータレート調整フィードバックを受信すること、および、
リクエストに応答してデータレート調整フィードバックを受信すること、のうち少なくとも１つを包含する、請求項２５に記載の方法。
【請求項２９】
ワイヤレスマルチメディアシステムであって、
サーバ処理モジュールおよびサーバメモリを含むマルチメディアサーバ、および、
複数のクライアントモジュール、を包含し、
ここで、複数のクライアントモジュールの各クライアントモジュールが、クライアント処理モジュールおよびクライアントメモリを含み、ここで、少なくともクライアントメモリ及びサーバメモリの１つが、少なくともクライアント処理モジュール及びサーバ処理モジュールの１つに対する動作命令である、
複数のクライアントモジュールの１つにより、１つのワイヤレストランスポートチャネルのチャネル特性を受信パケットレート以下の速度で監視し、それで、ワイヤレストランスポートチャネル経由で受信された少なくとも１つのパケットから少なくとも１つの他のパケットまでのチャネル特性の変化を特定すること、
複数のクライアントモジュールの１つ又はマルチメディアサーバにより、チャネル特性の変化が受信パケットに含まれたデータのデータレートに影響するか否か特定すること、
チャネル特性の変化がデータレートに影響するとき、複数のクライアントモジュールの１つ又はマルチメディアサーバにより、少なくとも複数のクライアントモジュールの１つとマルチメディアサーバの間のワイヤレストランスポートチャネル経由で転送に関するデータレート調整を判定すること、
を実行させる動作命令を含み、
また、前記サーバメモリが、サーバ処理モジュールに対する動作命令である、
ワイヤレストランスポートチャネル経由で運ばれたパケットに含まれているデータのデータレートを、マルチメディアサーバにより、データレート調整フィードバックに従って調整すること、
をサーバ処理モジュールに実行させる動作命令を含むワイヤレスマルチメディアシステム。
【請求項３０】
クライアントメモリが更に、クライアント処理モジュールに対する動作命令である、
パケット・バイ・パケットをベースにしてワイヤレストランスポートチャネルの信号対ノイズ比を監視すること、
パケットグループ・バイ・パケットグループをベースにしてワイヤレストランスポートチャネルの平均信号対ノイズ比を監視すること、
複数のパケットについて受信パケットエラー率を監視すること、
のうち少なくとも１つによってチャネル特性を監視することをクライアント処理モジュールに実行させる動作命令を包含する、請求項２９に記載のワイヤレスマルチメディアシステム。
【請求項３１】
クライアントメモリが更に、クライアント処理モジュールに対する動作命令である、
チャネル特性の変化がより高いデータレートを見込んでいるか否か判定すること、
チャネル特性の変化がより低いデータレートを見込んでいるか否か判定すること、
によって、チャネル特性の変化がデータレートに影響するか否か判定することをクライアント処理モジュールに実行させる動作命令を包含する、請求項２９に記載のワイヤレスマルチメディアシステム。
【請求項３２】
クライアントメモリが更に、クライアント処理モジュールに対する動作命令である、
データレート増分のメッセージを提供すること、
データレート減分のメッセージを提供すること、
増大したデータレート値を提供すること、
減少したデータレート値を提供すること、
のうち少なくとも１つによってデータレート調整フィードバックを提供することをクライアント処理モジュールに実行させる動作命令を包含する、請求項２９に記載のワイヤレスマルチメディアシステム。
【請求項３３】
クライアントメモリが更に、クライアント処理モジュールに対する動作命令である、
チャネル特性の変化が、信号対ノイズ比の増大、平均信号対ノイズ比の増大、およびパケットエラー率の低下のうち少なくとも１つを指示するとき、データレート増分のメッセージを特定すること、
チャネル特性の変化が、信号対ノイズ比の減少、平均信号対ノイズ比の減少、およびパケットエラー率の増大のうち少なくとも１つを指示するとき、データレート減分のメッセージを特定すること、
チャネル特性の変化の大きさに基づいて増大したデータレート値または減少したデータレート値を特定すること、
をクライアント処理モジュールに実行させる動作命令を包含する、請求項３２に記載のワイヤレスマルチメディアシステム。
【請求項３４】
サーバメモリが更に、サーバ処理モジュールに対する動作命令である、
データレート増分のメッセージによる分だけデータレートを増分すること、
データレート減分のメッセージによる分だけデータレートを減分すること、
増大したデータレート値に従ってデータレートを増大させること、
減少したデータレート値に従ってデータレートを減少させること、
のうち少なくとも１つによって、パケットに含まれたデータのデータレートを調整することをサーバ処理モジュールに実行させる動作命令を包含する、請求項３２に記載のワイヤレスマルチメディアシステム。
【請求項３５】
ワイヤレストランスポートチャネルのデータレートをダイナミックに調整する装置であって、
処理モジュール、および、
処理モジュールに動作結合したメモリを包含し、
ここで、メモリが処理モジュールに対する動作命令である、
ワイヤレストランスポートチャネルのチャネル特性を受信パケットレート以下の速度で監視し、それで、ワイヤレストランスポートチャネル経由で受信された少なくとも１つのパケットから少なくとも１つの他のパケットまでのチャネル特性の変化を特定すること、
チャネル特性の変化が受信パケットに含まれたデータのデータレートに影響するか否か判定すること、
チャネル特性の変化がデータレートに影響するとき、ワイヤレストランスポートチャネル経由で受信パケットを提供するソースにデータレート調整フィードバックを提供すること、
を処理モジュールに実行させる動作命令を含む装置。
【請求項３６】
メモリが更に、処理モジュールに対する動作命令である、
パケット・バイ・パケットをベースにしてワイヤレストランスポートチャネルの信号対ノイズ比を監視すること、
パケットグループ・バイ・パケットグループをベースにしてワイヤレストランスポートチャネルの平均信号対ノイズ比を監視すること、
複数のパケットについて受信パケットエラー率を監視すること、
のうち少なくとも１つによってチャネル特性を監視することを処理モジュールに実行させる動作命令を包含する、請求項３５に記載の装置。
【請求項３７】
メモリが更に、処理モジュールに対する動作命令である、
チャネル特性の変化がより高いデータレートを見込んでいるか否か判定すること、
チャネル特性の変化がより低いデータレートを見込んでいるか否か判定すること、
によって、チャネル特性の変化がデータレートに影響するか否か判定することを処理モジュールに実行させる動作命令を包含する、請求項３５に記載の装置。
【請求項３８】
メモリが更に、処理モジュールに対する動作命令である、
データレート増分のメッセージを提供すること、
データレート減分のメッセージを提供すること、
増大したデータレート値を提供すること、
減少したデータレート値を提供すること、
のうち少なくとも１つによってデータレート調整フィードバックを提供することを処理モジュールに実行させる動作命令を包含する、請求項３５に記載の装置。
【請求項３９】
ワイヤレスマルチメディアシステムであって、
サーバ処理モジュールおよびサーバメモリを含むマルチメディアサーバ、
複数のワイヤレストランスポートチャネル、および、
複数のクライアントモジュールを包含し、
ここで、複数のクライアントモジュールの各クライアントモジュールが、クライアント処理モジュールおよびクライアントメモリを含み、ここで、クライアントメモリが、クライアント処理モジュールに対する動作命令である、
ワイヤレストランスポートチャネルのチャネル特性を受信パケットレート以下の速度で特定し、それで、特定されたチャネル特性を生成すること、
チャネル特性に基づいてデータレート調整フィードバックを生成すること、
データレート調整フィードバックをマルチメディアサーバに提供すること、
をクライアント処理モジュールに実行させる動作命令を含み、
また、前記サーバメモリが、サーバ処理モジュールに対する動作命令である、
データレート調整フィードバックを解釈し、それで、ワイヤレストランスポートチャネル経由で運ばれたパケットに含まれているデータのデータレートを調整すべきか否か判定すること、
ワイヤレストランスポートチャネル経由で運ばれたパケットに含まれているデータのデータレートを調整すべきであるとき、ワイヤレストランスポートチャネル経由で運ばれたパケットのデータレートを調整すること、
をサーバ処理モジュールに実行させる動作命令を含むワイヤレスマルチメディアシステム。
【請求項４０】
クライアントメモリが更に、クライアント処理モジュールに対する動作命令である、
パケット・バイ・パケットをベースにしてワイヤレストランスポートチャネルの信号対ノイズ比を特定すること、
パケットグループ・バイ・パケットグループをベースにしてワイヤレストランスポートチャネルの平均信号対ノイズ比を特定すること、
複数のパケットについて受信パケットエラー率を特定すること、
のうち少なくとも１つによってワイヤレストランスポートチャネルのチャネル特性を特定することをクライアント処理モジュールに実行させる動作命令を包含する、請求項３９に記載のワイヤレスマルチメディアシステム。
【請求項４１】
クライアントメモリが更に、クライアント処理モジュールに対する動作命令である、
パケット・バイ・パケットをベースにしたワイヤレストランスポートチャネルの信号対ノイズ比、パケットグループ・バイ・パケットグループをベースにしたワイヤレストランスポートチャネルの平均信号対ノイズ比、および、複数のパケットについての受信パケットエラー率のうち少なくとも１つの指示を含むようにデータレート調整フィードバックを構成すること、
によってデータレート調整フィードバックを生成することをクライアント処理モジュールに実行させる動作命令を包含する、請求項４０に記載のワイヤレスマルチメディアシステム。
【請求項４２】
サーバメモリが更に、サーバ処理モジュールに対する動作命令である、
指示を解釈し、それで、現データレートを基準としてワイヤレストランスポートチャネルのチャネル特性の変化を特定すること、
チャネル特性の変化が現データレートの低すぎることを指示するとき、パケットに含まれているデータのデータレートを上げるべきであると決定すること、
チャネル特性の変化が現データレートの高すぎることを指示するとき、パケットに含まれているデータのデータレートを下げるべきであると決定すること、
によってデータレート調整フィードバックを解釈することをサーバ処理モジュールに実行させる動作命令を包含する、請求項４１に記載のワイヤレスマルチメディアシステム。
【請求項４３】
クライアントメモリが更に、クライアント処理モジュールに対する動作命令である、
チャネル特性の変化を特定すること、
チャネル特性の変化がパケットに含まれたデータのデータレートに影響するか否か判定すること、
チャネル特性の変化がデータレートに影響するとき、データレートの増大または減少を指示するためにデータレート調整フィードバックを提供すること、
によってデータレート調整フィードバックを生成することをクライアント処理モジュールに実行させる動作命令を包含する、請求項３９に記載のワイヤレスマルチメディアシステム。
【請求項４４】
クライアントメモリが更に、クライアント処理モジュールに対する動作命令である、
データレート増分のメッセージを提供すること、
データレート減分のメッセージを提供すること、
増大したデータレート値を提供すること、
減少したデータレート値を提供すること、
のうち少なくとも１つによってデータレート調整フィードバックを提供することをクライアント処理モジュールに実行させる動作命令を包含する、請求項４３に記載のワイヤレスマルチメディアシステム。
【請求項４５】
クライアントメモリが更に、クライアント処理モジュールに対する動作命令である、
パケット・バイ・パケットをベースにしてデータレート調整フィードバックを生成すること、
パケットグループ・バイ・パケットグループをベースにしてデータレート調整フィードバックを生成すること、
周期をベースにしてデータレート調整フィードバックを生成すること、
マルチメディアサーバからのリクエストに応答してデータレート調整フィードバックを生成すること、
のうち少なくとも１つによってデータレート調整フィードバックを生成することをクライアント処理モジュールに実行させる動作命令を包含する、請求項３９に記載のワイヤレスマルチメディアシステム。
【請求項４６】
ワイヤレストランスポートチャネルのデータレートをダイナミックに調整する装置であって、
処理モジュール、および、
処理モジュールに動作結合したメモリを包含し、
ここで、メモリが処理モジュールに対する動作命令である、
ワイヤレストランスポートチャネルのチャネル特性を受信パケットレート以下の速度で特定し、それで、特定されたチャネル特性を生成すること、
チャネル特性に基づいてデータレート調整フィードバックを生成すること、
データレート調整フィードバックをソースに提供すること、
を処理モジュールに実行させる動作命令を含む装置。
【請求項４７】
メモリが更に、処理モジュールに対する動作命令である、
パケット・バイ・パケットをベースにしてワイヤレストランスポートチャネルの信号対ノイズ比を特定すること、
パケットグループ・バイ・パケットグループをベースにしてワイヤレストランスポートチャネルの平均信号対ノイズ比を特定すること、
複数のパケットについて受信パケットエラー率を特定すること、
のうち少なくとも１つによってチャネル特性を特定することを処理モジュールに実行させる動作命令を包含する、請求項４６に記載の装置。
【請求項４８】
メモリが更に、処理モジュールに対する動作命令である、
パケット・バイ・パケットをベースにしたワイヤレストランスポートチャネルの信号対ノイズ比、パケットグループ・バイ・パケットグループをベースにしたワイヤレストランスポートチャネルの平均信号対ノイズ比、および、複数のパケットについての受信パケットエラー率のうち少なくとも１つの指示を含むようにデータレート調整フィードバックを構成すること、
によってデータレート調整フィードバックを生成することを処理モジュールに実行させる動作命令を包含する、請求項４７に記載の装置。
【請求項４９】
メモリが更に、処理モジュールに対する動作命令である、
チャネル特性の変化を特定すること、
チャネル特性の変化がパケットに含まれたデータのデータレートに影響するか否か判定すること、
チャネル特性の変化がデータレートに影響するとき、データレートの増大または減少を指示するためにデータレート調整フィードバックを提供すること、
によってデータレート調整フィードバックを生成することを処理モジュールに実行させる動作命令を包含する、請求項４７に記載の装置。
【請求項５０】
メモリが更に、処理モジュールに対する動作命令である、
データレート増分のメッセージを提供すること、
データレート減分のメッセージを提供すること、
増大したデータレート値を提供すること、
減少したデータレート値を提供すること、
のうち少なくとも１つによってデータレート調整フィードバックを提供することを処理モジュールに実行させる動作命令を包含する、請求項４９に記載の装置。
【請求項５１】
メモリが更に、処理モジュールに対する動作命令である、
パケット・バイ・パケットをベースにしてデータレート調整フィードバックを生成すること、
パケットグループ・バイ・パケットグループをベースにしてデータレート調整フィードバックを生成すること、
周期をベースにしてデータレート調整フィードバックを生成すること、
マルチメディアサーバからのリクエストに応答してデータレート調整フィードバックを生成すること、
のうち少なくとも１つによってデータレート調整フィードバックを生成することを処理モジュールに実行させる動作命令を包含する、請求項４６に記載の装置。
【請求項５２】
複数のワイヤレストランスポートチャネルのうち１つのワイヤレストランスポートチャネルのデータレートをダイナミックに調整する装置であって、
処理モジュール、および、
処理モジュールに動作結合したメモリを包含し、
ここで、メモリが処理モジュールに対する動作命令である、
データレート調整フィードバックを受信すること、
データレート調整フィードバックを解釈し、それで、ワイヤレストランスポートチャネル経由で運ばれたパケットに含まれているデータのデータレートを調整すべきか否か判定すること、
ワイヤレストランスポートチャネル経由で運ばれたパケットに含まれているデータのデータレートを調整すべきであるとき、ワイヤレストランスポートチャネル経由で運ばれたパケットのデータレートを調整すること、
を処理モジュールに実行させる動作命令を含む装置。
【請求項５３】
データレート調整フィードバックが更に、パケット・バイ・パケットをベースにしたワイヤレストランスポートチャネルの信号対ノイズ比、パケットグループ・バイ・パケットグループをベースにしたワイヤレストランスポートチャネルの平均信号対ノイズ比、および、複数のパケットについての受信パケットエラー率のうち少なくとも１つの指示を包含し、また、メモリが更に、メモリが処理モジュールに対する動作命令である、
指示を解釈し、それで、現データレートを基準としてワイヤレストランスポートチャネルのチャネル特性の変化を特定すること、
チャネル特性の変化が現データレートの低すぎることを指示するとき、パケットに含まれているデータのデータレートを上げるべきであると決定すること、
チャネル特性の変化が現データレートの高すぎることを指示するとき、パケットに含まれているデータのデータレートを下げるべきであると決定すること、
によってデータレート調整フィードバックを解釈することを処理モジュールに実行させる動作命令を包含する、請求項５２に記載の装置。
【請求項５４】
メモリが更に、メモリが処理モジュールに対する動作命令である、
データレート増分のメッセージを受信すること、
データレート減分のメッセージを受信すること、
増大したデータレート値を受信すること、
減少したデータレート値を受信すること、
のうち少なくとも１つによってデータレート調整フィードバックを受信することを処理モジュールに実行させる動作命令を包含する、請求項５２に記載の装置。
【請求項５５】
メモリが更に、メモリが処理モジュールに対する動作命令である、
パケット・バイ・パケットをベースにしてデータレート調整フィードバックを受信すること、
パケットグループ・バイ・パケットグループをベースにしてデータレート調整フィードバックを受信すること、
周期をベースにしてデータレート調整フィードバックを受信すること、
リクエストに応答してデータレート調整フィードバックを受信すること、
のうち少なくとも１つによってデータレート調整フィードバックを受信することを処理モジュールに実行させる動作命令を包含する、請求項５２に記載の装置。